【手続補正書】
【提出日】令和3年11月24日(2021.11.24)
【手続補正１】
【補正対象書類名】特許請求の範囲
【補正対象項目名】全文
【補正方法】変更
【補正の内容】
【特許請求の範囲】
【請求項１】
センター装置から受信した更新データの書込みを書換え対象の電子制御装置に指示し、更新データを書換え対象の電子制御装置に配信する車両用マスタ装置（１１）と、前記車両用マスタ装置から受信した更新データを不揮発性メモリに書込む電子制御装置（１９）と、所定の意匠であるインジケータを有するメータ装置（４５）と、を備える車両用電子制御システム（１）において、
プログラム更新のフェーズを特定するフェーズ特定部（９１ａ）と、
前記フェーズ特定部により特定されたプログラム更新のフェーズに応じた態様でインジケータを所定の色で表示するように指示する表示指示部（９１ｂ）と、
前記表示指示部からの指示にしたがって前記インジケータを表示制御するインジケータ表示制御部（９１ｃ）と、を備え、
前記表示指示部は、前記プログラム更新により車両の走行に制約が生じる可能性があるフェーズである制約フェーズを前記電子制御装置のメモリ構成に応じて判定し、その判定結果にしたがって、前記制約フェーズにおいて前記インジケータを点滅表示又は前記制約フェーズ以外のフェーズよりも強調表示するように指示する車両用電子制御システム。
【請求項２】
前記表示指示部は、前記電子制御装置が複数面メモリの場合、ダウンロード、インストール及びアクティベートのフェーズのうち、前記アクティベートのフェーズで前記点滅表示又は前記強調表示するように指示し、前記電子制御装置が１面メモリの場合、前記インストール及び前記アクティベートのフェーズで前記点滅表示又は前記強調表示するように指示する請求項１に記載した車両用電子制御システム。
【請求項３】
前記表示指示部は、前記プログラム更新に関するキャンペーンを受信したことにより前記インジケータを点灯し、アクティベート完了後のユーザ確認操作が完了したことにより前記インジケータを消灯するように指示する請求項１又は２に記載した車両用電子制御システム。
【請求項４】
前記表示指示部は、前記プログラム更新の進捗状況に応じて表示態様を変化させるように指示する請求項１から３の何れか一項に記載した車両用電子制御システム。
【請求項５】
前記インジケータ表示制御部が前記インジケータを表示制御することに追従し、車載ディスプレイにおいてアイコンを表示制御するアイコン表示制御部（９１ｄ）を備える請求項１から４の何れか一項に記載した車両用電子制御システム。
【請求項６】
前記インジケータ表示制御部が前記インジケータを表示制御することに追従し、車載ディスプレイ又は携帯端末においてプログラム更新に係る詳細情報を表示制御する詳細情報表示制御部（９１ｅ）を備える請求項１から５の何れか一項に記載した車両用電子制御システム。
【請求項７】
前記表示指示部（９１ｂ）は、駐車中にプログラム更新が行われる場合には、前記インジケータを表示しないように指示する請求項１から６の何れか一項に記載した車両用電子制御システム。
【請求項８】
駐車中にプログラム更新が行われることで電源制御部が電源制御を行う場合であってもユーザ操作の受付の無効化を前記電源制御部に指示する無効化指示部（９１ｆ）を備える請求項１から７の何れか一項に記載した車両用電子制御システム。
【請求項９】
センター装置から受信した更新データの書込みを書換え対象の電子制御装置に指示し、更新データを書換え対象の電子制御装置に配信する車両用マスタ装置（１１）であって、
プログラム更新のフェーズを特定するフェーズ特定部（９１ａ）と、
前記フェーズ特定部により特定されたプログラム更新のフェーズに応じた態様でメータ装置が有するインジケータを所定の色で表示するように指示する表示指示部（９１ｂ）と、を備え、
前記表示指示部は、前記プログラム更新により車両の走行に制約が生じる可能性があるフェーズである制約フェーズを前記電子制御装置のメモリ構成に応じて判定し、その判定結果にしたがって、前記制約フェーズにおいて前記インジケータを点滅表示又は前記制約フェーズ以外のフェーズよりも強調表示するように指示する車両用マスタ装置。
【請求項１０】
センター装置から受信した更新データの書込みを書換え対象の電子制御装置に指示し、更新データを書換え対象の電子制御装置に配信する車両用マスタ装置（１１）からの表示指示に基づき、所定意匠のインジケータを所定の色で表示制御するメータ装置（４５）であって、
前記電子制御装置の不揮発性メモリが複数面メモリの場合、ダウンロード、インストール及びアクティベートのフェーズのうち、前記アクティベートのフェーズで前記インジケータを点滅表示又は前記アクティベート以外のフェーズよりも強調表示し、前記電子制御装置の不揮発性メモリが１面メモリの場合、前記インストール及び前記アクティベートのフェーズで前記インジケータを点滅表示又は前記インストール及び前記アクティベート以外のフェーズよりも強調表示するメータ装置。
【請求項１１】
センター装置から受信した更新データの書込みを書換え対象の電子制御装置に指示し、更新データを書換え対象の電子制御装置に配信する車両用マスタ装置（１１）と、前記車両用マスタ装置から受信した更新データを不揮発性メモリに書込む電子制御装置（１９）と、所定の意匠であるインジケータを有するメータ装置（４５）と、を備える車両用電子制御システム（１）において、
プログラム更新のフェーズを特定するフェーズ特定手順と、
前記フェーズ特定手順により特定したプログラム更新のフェーズに応じた態様で前記インジケータを所定の色で表示するように指示し、前記プログラム更新により車両の走行に制約が生じる可能性があるフェーズである制約フェーズを前記電子制御装置のメモリ構成に応じて判定し、その判定結果にしたがって、前記制約フェーズにおいて前記インジケータを点滅表示又は前記制約フェーズ以外のフェーズよりも強調表示するように指示する表示指示手順と、
前記表示指示手順からの指示にしたがって前記インジケータを表示制御するインジケータ表示制御手順と、を行うプログラム更新の報知制御方法。
【請求項１２】
センター装置から受信した更新データの書込みを書換え対象の電子制御装置に指示し、更新データを書換え対象の電子制御装置に配信する車両用マスタ装置（１１）に、
プログラム更新のフェーズを特定する手順と、
前記フェーズ特定手順により特定したプログラム更新のフェーズに応じた態様でメータ装置が有するインジケータを所定の色で表示するように指示し、前記プログラム更新により車両の走行に制約が生じる可能性があるフェーズである制約フェーズを前記電子制御装置のメモリ構成に応じて判定し、その判定結果にしたがって、前記制約フェーズにおいて前記インジケータを点滅表示又は前記制約フェーズ以外のフェーズよりも強調表示するように指示する手順と、を実行させるインジケータの表示指示プログラム。
【請求項１３】
センター装置から受信した更新データの書込みを書換え対象の電子制御装置に指示し、更新データを書換え対象の電子制御装置に配信する車両用マスタ装置（１１）からの表示指示に基づき、所定意匠のインジケータを所定の色で表示制御するメータ装置（４５）に、
前記電子制御装置の不揮発性メモリが複数面メモリの場合、ダウンロード、インストール及びアクティベートのフェーズのうち、前記アクティベートのフェーズで前記インジケータを点滅表示又は前記アクティベート以外のフェーズよりも強調表示し、前記電子制御装置の不揮発性メモリが１面メモリの場合、前記インストール及び前記アクティベートのフェーズで前記インジケータを点滅表示又は前記インストール及び前記アクティベート以外のフェーズよりも強調表示する手順を実行させるインジケータの表示プログラム。
【手続補正２】
【補正対象書類名】明細書
【補正対象項目名】発明の名称
【補正方法】変更
【補正の内容】
【発明の名称】車両用電子制御システム、車両用マスタ装置、メータ装置、プログラム更新の報知制御方法、インジケータの表示指示プログラム及びインジケータの表示プログラム
【手続補正３】
【補正対象書類名】明細書
【補正対象項目名】０００１
【補正方法】変更
【補正の内容】
【０００１】
本発明は、車両用電子制御システム、車両用マスタ装置、メータ装置、プログラム更新の報知制御方法、インジケータの表示指示プログラム及びインジケータの表示プログラムに関する。
【手続補正４】
【補正対象書類名】明細書
【補正対象項目名】０００６
【補正方法】変更
【補正の内容】
【０００６】
本発明は、上記した事情に鑑みてなされたものであり、その目的は、プログラム更新のイベントをユーザに適切に知らせることができる車両用電子制御システム、車両用マスタ装置、メータ装置、プログラム更新の報知制御方法、インジケータの表示指示プログラム及びインジケータの表示プログラムを提供することにある。
【手続補正５】
【補正対象書類名】明細書
【補正対象項目名】０００７
【補正方法】変更
【補正の内容】
【０００７】
請求項１に記載した車両用電子制御システム（１）によれば、車両用マスタ装置（１１）は、センター装置から更新データを受信すると、その受信した更新データの書込みを書換え対象の電子制御装置に指示し、更新データを書換え対象の電子制御装置に配信する。電子制御装置（１９）は、車両用マスタ装置から更新データを受信すると、その受信した更新データを不揮発性メモリに書込む。メータ装置（４５）は、所定の意匠であるインジケータを有する。フェーズ特定部（９１ａ）は、プログラム更新のフェーズを特定する。表示指示部（９１ｂ）は、プログラム更新のフェーズとして、少なくともキャンペーン通知、ダウンロード、インストール、アクティベートがフェーズ特定部により特定されると、その特定されたプログラム更新のフェーズに応じた態様でインジケータを所定の色で表示するように指示する。インジケータ表示制御部（９１ｃ）は、表示指示部からの指示にしたがってインジケータを表示制御する。